【事件の表示】
　特願２０１０−２８８８０６「入力装置および入力装置の制御方法」拒絶査定不服審判事件〔平成２３年　５月１９日出願公開、特開２０１１−１００４７７〕について、次のとおり審決する。
【結　論】
　本件審判の請求は、成り立たない。
【理　由】
第１　手続きの経緯・本願発明
　本願は、平成２１年７月２９日を出願日とする特願２００９−１７７０６９号の一部を、平成２２年１２月２４日に新たに特許出願したものであって、平成２５年１月１１日付けで拒絶理由が通知され、それに対して同年３月２５日付けで手続補正がなされたが、同年７月２６日付けで拒絶査定がなされ、それに対して同年１０月３０日に拒絶査定不服の審判請求がされたものであって、その請求項１に係る発明は、平成２５年３月２５日付けの手続補正により補正された明細書及び図面の記載からみて、その特許請求の範囲の請求項１に記載された次のとおりのものと認める。（以下、「本願発明」という。）
　　
「【請求項１】
　タッチセンサと、
　前記タッチセンサのタッチ面に対する押圧荷重を検出する荷重検出部と、
　前記タッチ面を振動させる触感呈示部と、
　前記荷重検出部により検出される押圧荷重が触感を呈示する基準を満たした際に、前記タッチ面を押圧している操作者に対してクリック触感を呈示するように前記触感呈示部の駆動を制御する制御部と、
　を備えることを特徴とする入力装置。」
　　　
第２　引用文献・引用発明
　原査定の拒絶の理由に引用された特開２００６−１９５７３４号公報（以下、「引用文献」という。）には、図面とともに次の記載がある。（下線は当審で付与した。）
（ア）「【０００１】
　本発明は、予め準備された入力項目選択用の表示画面をなぞるまたは押下して情報を入力するとき、操作者の指等に触覚提示をする情報処理装置や、携帯電話機、情報携帯端末装置等に適用して好適な触覚機能付きの入出力装置及び電子機器に関する。詳しくは、表示面を有して情報を表示する表示手段の基板部材の一部に圧電体を配設して、情報入力操作に応じて表示面を振動できるようにすると共に、その表示面上の入力手段に接触する操作者の指等に対して強い触覚を提示できるようにしたものである。」
　
（イ）「【実施例１】
【００２４】
　図１は、第１の実施例としての入出力装置１００の構成例を示す分解斜視図である。図２Ａ及びＢは、入出力装置１００の構成例を補足する一部破砕の上面図及びそのＸ１−Ｘ１矢視断面図である。　
　図１に示す触覚機能付きの入出力装置は、携帯電話機や情報携帯端末装置等の筐体内部に取り付け可能な装置であって、圧電体（以下圧電アクチュエータという）による振動を利用して、情報入力操作時に操作体に触覚を提示するものである。例えば、入出力装置１００には、入力項目選択用のアイコン映像が表示され、複数のアイコンの１つに接触して当該表示画面上で入力操作したとき、操作者の指（操作体）に触覚を提示するようになされる。
【００２５】
　入出力装置１００は部品収納体を成しており、下部筐体１０、上部筐体２０、圧電アクチュエータ２５、表示手段２９及び入力検出手段４５を有している。
入力検出手段４５は、入力手段２４及び力検出手段５５ａ〜５５ｄを有して構成される
　
（ウ）「【００２８】
　圧電アクチュエータ２５は、入力手段２４の操作に応じて表示手段２９に振動を供給するようになされる。圧電アクチュエータ２５は、表示手段２９を構成する基板部材の一部に配設される。例えば、下部筐体１０の部品載置部１０ｂ，１０ｃと上部ガラス基板２９ａとの間に、圧電アクチュエータ２５が挟み込まれるように配置される。圧電アクチュエータ２５は、電子部品取付領域の長手方向に取り付け可能な大きさを有している。圧電アクチュエータ２５には、例えば、多数の圧電素子を積層したバイモルフ型の圧電アクチュエータが使用される。
【００２９】
　圧電アクチュエータ２５の中央部上には、振動作用点を成す突起部８ａが設けられる。この例では、振動作用点を通じて上部ガラス基板２９ａを上下方向（入力操作面を垂直方向）に振動する。この振動は、入力操作面で操作する操作者の指等に伝搬される。これにより、入力操作に対するアクナレッジやその他の触覚情報を操作者（ユーザ）に提示することができる。」
　
（エ）「【００３０】
　下部筐体１０には、圧電アクチュエータ２５の他に、下から順に光学シート１１、表示手段２９及び入力手段２４を積み重ねた光学系の構造体が配置される。光学シート１１は、バックライトを構成し、下部筐体１０の底部１０ａに配置され、その側面には図示しない光源が取り付けられる。光源から出射された光は、表示手段２９に照射される。光学シート１１には、グラスファイバーや蛍光部材等が使用される。
【００３１】
　この例で、光学シート１１の四隅には、力検出センサ用の取付けスペースが確保されている。ここで、入力検出手段４５の入力操作面の一方をＸ方向とし、当該Ｘ方向と直交する他方をＹ方向とし、Ｘ及びＹ方向と直交する方向をＺ方向とする。上述の取付けスペースには、
力検出手段５５ａ〜５５ｄが配設され、入力手段２４に対する操作者の指の押圧力（Ｚ方向への加圧力Ｆ）を検出して力検出情報を出力する
　
（オ）「【００３６】
　上部ガラス基板２９ａ上であって、表示面の上方には入力検出手段４５を構成する入力手段２４が配設され、当該表示面からの光を透過すると共に、操作者の指（操作体）の接触を検出して情報を入力するように操作される。
入力手段２４には、フィルム状のタッチパネルが使用され、フィルム−樹脂タッチパネル等の軟質部材の入力操作面に、操作者の指やスタイラスペン等を接触することにより情報を入力するように操作される
【００３７】
　タッチパネルは、透明電極をマトリクス状に配置したフィルム状の静電容量シートを有しており、静電容量方式の入力デバイスを構成する。入力手段２４は、ボタンアイコンの選択位置を検出するようになされる。この入力手段２４から得られる入力情報には位置検出情報が含まれる。位置検出情報はボタンアイコン押下時の位置検出信号により得られ、制御系に出力される。」　
　
（カ）「【０１１７】
　図１７は、第６の実施例としての
触覚入力機能付きの携帯電話機６００
　この実施例では、第１〜５の実施例に係る入出力装置１００、２００、３００、４００又は５００を備えると共に、
フィルム状のタッチパネルの入力操作面において、その入力操作面の振動を圧電アクチュエータ２５、６５、７５、８５等により制御して、その入力操作面における操作者の指等の押下操作に対して触覚を提示できるようにする
　　
（キ）「【０１２５】
　図１８に示す入力検出手段４５は、図１〜図１６では静電容量方式の入力デバイスを説明したが、カーソリングと選択の機能を区別できるものであれば何でも良く、例えば、抵抗膜方式、表面波弾性方式（ＳＡＷ）、光方式、複数段方式タクトスイッチ等の入力デバイスであっても良く、好ましくは位置検出情報と力検出情報を制御手段１５に与えられる構成の入力デバイスであれば良い。上述の
入力検出手段４５は操作者３０の指３０ａを介して少なくとも位置検出信号Ｓ１および入力量（押圧力；加圧力Ｆ）となる入力検出信号Ｓ２を制御手段１５に出力する
　　
（ク）「【０１３０】
　この例で、
ＣＰＵ３２は、フィルム状の入力手段２４から得られる位置検出信号Ｓ１及び力検出手段５５ａ〜５５ｄから得られる入力検出信号Ｓ２に基づいて波形指定コマンドＤｃを発行し、波形指定コマンドＤｃに基づいてアクチュエータ駆動回路３７を制御する。アクチュエータ駆動回路３７は、波形指定コマンドＤｃに基づいて記憶手段３５から波形パターンデータＤＰを読み出して圧電アクチュエータ２５に振動制御電圧Ｖａを供給する
（ケ）「【０１３３】
　この例で、ＣＰＵ３２は、入力検出手段４５が押下判定閾値Ｆthを越える入力検出情報Ｄ２を検出したとき、触覚Ａを起動し、その後、押下判定閾値Ｆthを下回る入力検出情報Ｄ２を検出したとき、触覚Ｂを起動するようにアクチュエータ駆動回路３７を制御する。このようにすると、操作者の指３０ａ等の”加圧力”に合わせた異なる振動パターンを発生させることができる。
【０１３４】
　この例で、ＣＰＵ３２は、入力検出手段４５から得られる入力検出情報Ｄ２と予め設定された押下判定閾値Ｆthとを比較し、当該比較結果に基づいて圧電アクチュエータ２５を振動制御するようにアクチュエータ駆動回路３７を制御する。例えば、入力検出手段４５の押下位置における入力操作面から伝播される触覚をＡ及びＢとすると、触覚Ａは、その押下位置における操作者の指３０ａの加圧力Ｆに応じた入力操作面を低周波数かつ小振幅の振動パターンから、高周波数かつ大振幅の振動パターンに変化させることによって得られる。また、触覚Ｂは、その押下位置における操作者の指３０ａの加圧力Ｆに応じた入力操作面を高周波数かつ大振幅の振動パターンから、低周波数かつ小振幅の振動パターンに変化させることよって得られる。」
　　
（コ）「【０１４２】
　この例で、
アクチュエータ駆動回路３７は、各アプリケーションに対応する押下判定閾値Ｆthを記憶する
アクチュエータ駆動回路３７は、ＣＰＵ３２の制御を受けて、入力検出情報Ｄ２を入力し、予め設定された押下判定閾値Ｆthと、入力検出情報Ｄ２から得られる加圧力Ｆとを比較し、Ｆth＞Ｆの判定処理や、Ｆth≦Ｆ等の判定処理を実行する
【０１４３】
　この例で、
押下判定閾値Ｆth＝１００［ｇｆ］を設定すると、クラシックスイッチの触覚を得るための振動パターンに基づいて入力操作面を振動するようになされる。また、押下判定閾値Ｆth＝２０［ｇｆ］を設定すると、サイバースイッチの触覚を得るための振動パターンに基づいて入力操作面を振動するようになされる
　　
（サ）「【０１５０】
　図１９Ａ及びＢは、触覚Ａ及びＢに係る振動パターン例を示す波形図である。図１９Ａ及びＢにおいて、いずれも横軸は、時間ｔである。縦軸は振動制御電圧Ｖａ等の電圧（振幅Ａｘ）［Ｖ］である。この例では、ボタンアイコンにおいて、それを押し込む時は触覚Ａを与え、それを離す時は触覚Ｂを与える場合を前提とする。
【０１５１】
　図１９Ａに示す第１の振動パターンＰａは触覚Ａを与える波形である。その触覚Ａの駆動条件ａは、ボタンアイコンが押し込まれたとき、押下判定閾値Ｆthと加圧力Ｆとの関係がＦth＜Ｆとなる場合であって、第１段階ｉで約０．１秒間、周波数ｆｘ＝５０Ｈｚ、振幅Ａｘ＝５μｍ、回数Ｎｘ＝２回の振動パターンで振動する。以下［ｆｘ　Ａｘ　Ｎｘ］＝［５０　５　２］と表記する。同様にして、第２段階iiでは、約０．１秒間、［ｆｘ　Ａｘ　Ｎｘ］＝［１００　１０　２］の振動パターンで振動するようになされる。
【０１５２】
　図１９Ｂに示す第１の振動パターンＰｂは触覚Ｂを与える波形である。その触覚Ｂの駆動条件ｂは、ボタンアイコンが押し込まれた後に、そのボタンアイコンが放されたとき、押下判定閾値Ｆthと加圧力Ｆとの関係がＦth＞Ｆとなる場合であって、第１段階ｉで約０．１秒間、［ｆｘ　Ａｘ　Ｎｘ］＝［８０　８　２］で振動し、同様にして、第２段階iiでは、約０．１秒間、［ｆｘ　Ａｘ　Ｎｘ］＝［４０　８　２］の振動パターンで振動する。このような振動パターンに基づいて入力操作面を振動すると、サイバースイッチ等の触覚を得ることができる。
【０１５３】
　図２０Ａ及びＢは、加圧力Ｆと振動パターンとの関係例（その１）を示す図である。図２０Ａにおいて、縦軸は加圧力Ｆであり、入力検出信号Ｓ２（二値化後は入力検出情報Ｄ２）から得られる。図２０Ｂにおいて、縦軸は振動制御信号Ｓａ等の電圧（振幅）である。図２０Ａ及びＢにおいて、横軸はいずれも時間ｔである。
【０１５４】
　一般に、ボタンスイッチ操作等において、入力モーションピークが存在する。設計通りの押下速度（操作入力速度）である場合、その加圧力Ｆは３０［ｇｆ］乃至２４０［ｇｆ］程度であることが知られている。図２０Ａに示す加圧力分布波形Ｉは、入力装置設計時に基準とした、Ｚ方向への押下速度による加圧力Ｆを反映したものである。
【０１５５】
　この例で入力検出手段４５から得られる入力検出信号Ｓ２に対して予め押下判定閾値Ｆthが設定され、ＣＰＵ３２は、入力検出信号Ｓ２の立ち上がり波形が押下判定閾値Ｆthを横切る時刻ｔ１１に第１の振動パターンＰａを発生し、入力検出信号Ｓ２の立ち下がり波形が押下判定閾値Ｆthを横切る時刻ｔ２１に第２の振動パターンＰｂを発生するようにアクチュエータ振動回路３７を制御する。
【０１５６】
　このようにすると、入力検出手段４５が入力装置設計時に基準とした加圧力Ｆを検出し、ＣＰＵ３２等が押下判定閾値Ｆth＜加圧力Ｆを検出したとき、触覚Ａを起動することができ、押下判定閾値Ｆth＞加圧力Ｆを検出したとき、触覚Ｂを起動することができる。なお、振動パターンＰａと振動パターンＰｂとの間には、無振動の空白期間Ｔｘ＝Ｔ１が設けられる。この空白期間Ｔｘは、Ｚ方向への押圧速度に応じて可変するようになされる。
【０１５７】
　図２１Ａ及びＢは、加圧力Ｆと振動パターンとの関係例（その２）を示す図である。図２１Ａにおいて、縦軸は加圧力Ｆであり、入力検出信号Ｓ２（二値化後は入力検出情報Ｄ２）から得られる。図２１Ｂにおいて、縦軸は振動制御信号Ｓａ等の電圧（振幅）である。図２１Ａ及びＢにおいて、横軸はいずれも時間ｔである。
【０１５８】
　図２１Ａに示す加圧力分布波形IIは、図２０Ａに示した基準押下速度よりも早くボタンアイコン等を押下した場合の加圧力Ｆを反映したものである。この例でも、図２０Ａと同様にして、入力検出手段４５から得られる入力検出信号Ｓ２に対して予め押下判定閾値Ｆthが設定され、ＣＰＵ３２は、入力検出信号Ｓ２の立ち上がり波形が押下判定閾値Ｆthを横切る時刻ｔ１２に振動パターンＰａを発生し、入力検出信号Ｓ２の立ち下がり波形が押下判定閾値Ｆthを横切る時刻ｔ２２に振動パターンＰｂを発生するようにアクチュエータ振動回路３７を制御する。
【０１５９】
　このようにすると、入力検出手段４５が基準押下速度よりも早くボタンアイコン等が押下された場合の加圧力Ｆを検出し、ＣＰＵ３２等が押下判定閾値Ｆth＜加圧力Ｆを検出したとき、触覚Ａを起動することができる。また、ＣＰＵ３２等が押下判定閾値Ｆth＞加圧力Ｆを検出したとき、触覚Ｂを起動することができる。なお、振動パターンＰａと振動パターンＰｂとの間には、無振動の空白期間Ｔｘ＝Ｔ２（Ｔ２＜Ｔ１）が設けられる。
【０１６０】
　このように、設計時の押下速度よりも早い押下速度である場合であっても、前半で触覚Ａが伝わり、クリック感のある荷重に到達させることができ、その後半で、触覚Ｂが伝わり、クリック感のあるストロークに到達させることができる。この例で押下判定閾値Ｆth＝１００［ｇｆ］を設定すると、クラシックスイッチの触覚を得ることができる。」
　　　　
　以上の記載によれば、引用文献には、以下の発明（以下、「引用発明」という。）が開示されていると認められる。
「フィルム状のタッチパネルの入力操作面において、その入力操作面の振動を圧電アクチュエータにより制御して、その入力操作面における操作者の指等の押下操作に対して触覚を提示できるようにする触覚入力機能付きの携帯電話機であって、
　入力検出手段４５は、入力手段２４及び力検出手段５５ａ〜５５ｄを有して構成され、入力手段２４には、フィルム状のタッチパネルが使用され、入力操作面に、操作者の指やスタイラスペン等を接触することにより情報を入力し、力検出手段５５ａ〜５５ｄは、入力手段２４に対する操作者の指の押圧力（Ｚ方向への加圧力Ｆ）を検出して力検出情報を出力し、
　入力検出手段４５は、操作者３０の指３０ａを介して少なくとも位置検出信号Ｓ１および入力量（押圧力；加圧力Ｆ）となる入力検出信号Ｓ２を制御手段１５に出力するようになされ、
　制御手段１５のＣＰＵ３２は、フィルム状の入力手段２４から得られる位置検出信号Ｓ１及び力検出手段５５ａ〜５５ｄから得られる入力検出信号Ｓ２に基づいて波形指定コマンドＤｃを発行し、波形指定コマンドＤｃに基づいてアクチュエータ駆動回路３７を制御し、アクチュエータ駆動回路３７は、波形指定コマンドＤｃに基づいて記憶手段３５から波形パターンデータＤＰを読み出して圧電アクチュエータ２５に振動制御電圧Ｖａを供給し、
　アクチュエータ駆動回路３７は、押下判定閾値Ｆthを記憶し、入力検出情報Ｄ２を入力し、予め設定された押下判定閾値Ｆthと、入力検出情報Ｄ２から得られる加圧力Ｆとを比較し、Ｆth＞Ｆの判定処理や、Ｆth≦Ｆ等の判定処理を実行し、押下判定閾値Ｆth＝１００［ｇｆ］を設定すると、クラシックスイッチの触覚を得るための振動パターンに基づいて入力操作面を振動するようになされ、また、押下判定閾値Ｆth＝２０［ｇｆ］を設定すると、サイバースイッチの触覚を得るための振動パターンに基づいて入力操作面を振動するようになされる触覚入力機能付きの携帯電話機。」
　　
第３　対比
　本願発明と引用発明とを対比する。
・引用発明の「フィルム状のタッチパネル」（「フィルム状の入力手段２４」）は、本願発明の「タッチセンサ」に相当し、引用発明の「フィルム状のタッチパネルの入力操作面」は、本願発明の「タッチセンサのタッチ面」に相当する。
　　　　
・引用発明の「力検出手段５５ａ〜５５ｄ」は、「入力手段２４に対する操作者の指の押圧力（Ｚ方向への加圧力Ｆ）を検出して力検出情報を出力する」から、本願発明の「前記タッチセンサのタッチ面に対する押圧荷重を検出する荷重検出部」に相当する。
　　
・引用発明の「圧電アクチュエータ２５」は、振動パターンに基づいて入力操作面を振動するようになされ、その入力操作面における操作者の指等の押下操作に対して触覚を提示できるから、本願発明の「前記タッチ面を振動させる触感呈示部」に相当する。
　　
・引用発明の「アクチュエータ駆動回路３７は、押下判定閾値Ｆthを記憶し、入力検出情報Ｄ２を入力し、予め設定された押下判定閾値Ｆthと、入力検出情報Ｄ２から得られる加圧力Ｆとを比較し、Ｆth＞Ｆの判定処理や、Ｆth≦Ｆ等の判定処理を実行し、押下判定閾値Ｆth＝１００［ｇｆ］を設定すると、クラシックスイッチの触覚を得るための振動パターンに基づいて入力操作面を振動するようになされ、また、押下判定閾値Ｆth＝２０［ｇｆ］を設定すると、サイバースイッチの触覚を得るための振動パターンに基づいて入力操作面を振動するようになされる」構成は、本願発明の「前記荷重検出部により検出される押圧荷重が触感を呈示する基準を満たした際に、前記タッチ面を押圧している操作者に対してクリック触感を呈示する」させる構成と「前記荷重検出部により検出される押圧荷重が触感を呈示する基準を満たした際に、前記タッチ面を押圧している操作者に対して触感を呈示する」構成である点では一致し、引用発明の「ＣＰＵ３２」と「アクチュエータ駆動回路３７」からなる部分は、本願発明と同様に「触感呈示部の駆動を制御する制御部」といえる。
　　　　
・引用発明の「フィルム状のタッチパネルの入力操作面において、」「操作者の指等の押下操作」を行う「携帯電話機」は、本願発明と同様に「入力装置」といい得るものである。
　
　したがって、両者は、
「タッチセンサと、
　前記タッチセンサのタッチ面に対する押圧荷重を検出する荷重検出部と、
　前記タッチ面を振動させる触感呈示部と、
　前記荷重検出部により検出される押圧荷重が触感を呈示する基準を満たした際に、前記タッチ面を押圧している操作者に対して触感を呈示するように前記触感呈示部の駆動を制御する制御部と、
　を備えることを特徴とする入力装置。」
で一致するものであり、次の点で相違している。
　　
＜相違点＞
　本願発明の「制御部」は、押圧荷重が触感を呈示する基準を満たした際に、タッチ面を押圧している操作者に対してクリック触感を呈示するように触感呈示部の駆動を制御するとされているのに対して、引用発明の「制御部」は、押圧荷重が触感を呈示する基準を満たした際に、タッチ面を押圧している操作者に対してクリック触感を呈示するように触感呈示部の駆動を制御するとされていない点。　　
　　　
第４　当審の判断
　引用発明と同じく操作者に対して触感を呈示する機能を有する入力装置において、操作パネルに対する押圧力が所定の基準を満たした際に、操作パネルを押圧している操作者に対してクリック感を与える振動で操作パネルを振動させることは、原出願の出願前周知の技術である。
　これには、例えば、特開２００５−１４９４０５号公報、段落【００４９】〜【００５０】「図５上図および図６上図に示すように、入力操作時に検出される検出データ値は、タッチパネル部２のパネル表面の押圧前は０または０に近い値であり、押圧開始と共に次第に増加していき、押圧がそのままある程度以上続くと安定する。入力装置１００では、このように変化する検出データ値から決定される押圧開始時点から押圧確定時点までの時間に応じて、圧電アクチュエータ３に対して適当な信号波形の駆動電圧を供給することにより、押圧操作の仕方に応じたクリック感を操作者に体感させることができる。【００５０】すなわち、入力装置１００は、押圧開始から押圧確定までの時間が長いとき、すなわち検出データ値が安定するまでに長時間を要したときには、図５下図に示したように、押圧確定後、圧電アクチュエータ３に振幅の小さい所定周波数の交流矩形波電圧を供給して、圧電アクチュエータ３およびタッチパネル部２を小さく振動させる。これに対し、押圧開始から押圧確定までの時間が短いとき、すなわち検出データ値が短時間で安定したときには、入力装置１００は、図６下図に示したように、押圧確定後、圧電アクチュエータ３に振幅の大きい所定周波数の交流矩形波電圧を供給して、圧電アクチュエータ３およびタッチパネル部２を大きく振動させる。」、段落【００６３】「なお、以上の説明では、クリック感の実現のために、指等で押圧されたり指等が接触したりするパネルを圧電アクチュエータによって振動させるようにしたが、そのほかにもモータなど、適当な駆動信号が供給されることで、パネルに対して振動を与えることができるものであれば、入力装置に適用可能である。」の記載、
　特開平１１−２１２７２５号公報、段落【０１０９】「図１４は駆動モード記憶部７３に記憶されている種々の駆動モードを模式的に示したものである。たとえば、図１４(a)は小振幅で継続的振動を行うモードを示し、図１４(b)は大振幅の振動モードである。図１４(c)は図１４(a)、(b)とは周波数が異なる振動モードを示し、また、図１４(d)、(e)はそれぞれ、単時間の振動を１回または２回行う例を示している。さらに図１４(f)は１回の振動（ワンショットパルス）のみを与えるような振動モードである。なお、これ以外のモードの例は後に説明する。」、段落【０１１７】〜【０１１９】「ところで、これらの駆動モード選択動作において、最小閾値Ｆh1以上の操作力Ｆが操作面１１に加わったときのみ圧電素子Ｅ1〜Ｅ4を駆動させるには、他の構成をとることもできる。・・・中略・・・、このような場合には、操作力Ｆはそれが最小閾値Ｆh1より大きいかどうかだけが問題であり、それ以上の範囲でどの操作力区間Ｆ1〜Ｆ4に属しているかは判定する必要はない。このため、図７の操作力判定部５４では操作力判定信号ＦＢを生成する必要がなく、この操作力判定部５４から駆動モード選択部７２への操作力判定信号ＦＢの伝達も省略できる。このため、このような場合に、操作力Ｆが最小閾値Ｆh1より大きいときだけ操作面１１の振動の発生を許容させるには、追加のゲート回路７２ｂを使用して、論理積回路５７の出力である論理積信号Ｇを利用する実益が高くなるのである。【０１１９】さらに、図１３のテーブル７２ａは、液晶表示パネル２０に表示する画面ごとに書き換える方が好ましい。すなわち、液晶表示パネル２０に表示している内容が切り替わったときには、その新たな表示内容中の操作領域ごとに、また操作力Ｆが属する操作力区間ごとに、選択する駆動モードを変更することにより、操作面１１の各種の駆動モードを多彩に利用することができる。たとえば、「お引き出し」のメニュー項目を選択して引き出し金額の入力画面に変更したときには、操作領域はテンキーを模した領域になるが、それらででは押下するごとに、たとえば、図１４(f)のようなワンショット変位を与えるようにしてもよい。このようなワンショット変位の場合はいわゆるクリック感を操作者に与えることができる。」の記載、
　特開２００９−５３８５７号公報、段落【００２２】〜【００２３】「振動発生装置２０への電圧印加は押し圧力が閾値を超えた時、すなわちタイミングｔ１で図示のＰ１によってと、該閾値を下回った時、すなわちタイミングｔ２で図示のＰ２によってとの２つのタイミングでなされ、該電圧印加により振動発生装置２０が操作パネル１８に振動を与え、使用者は該振動をクリック感として感知することができる。印加電圧パルスＰ１，Ｐ２においては、実際には特定の周波数の信号をパルスの持続時間ｔｃの間振動発生装置２０に与えている。【００２３】このように本発明によれば操作パネルを押し始めたときと離したときに指にクリック感が伝わり、押し圧が閾値を越えた以降の操作者の押し具合が考慮されているので、操作パネルを長い時間押しても短い時間押しても離したことをクリック感で伝えることができる。」の記載等が参照される。
　また、操作者に対して呈示する触感を「クリック触感」とすることは、引用文献の段落【０１６０】の「前半で触覚Ａが伝わり、クリック感のある荷重に到達させることができ、その後半で、触覚Ｂが伝わり、クリック感のあるストロークに到達させることができる。」という記載から示唆されることでもある。
　してみれば、引用発明において、操作者に対して呈示する触感を「クリック触感」とすることは、当業者が容易になし得たことである。
　そして、そのことは、引用発明において、上記相違点に係る本願発明の構成を採用することが当業者にとって容易であったことを意味する。
　
　さらに、本願発明の効果は、引用発明及び周知技術から、当業者であれば予想できる範囲内のものである。　　
　　　
　したがって、本願発明は、引用発明及び周知技術に基づいて当業者が容易に発明をすることができたものである。
　　　　　　
第５　むすび
　以上のとおり、本願発明は、引用発明及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。